【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】  １次イメージに２次イメージをエンコードする方法であって、
（ａ）該１次イメージを第１の要素的イメージにラスタライズするステップと、
（ｂ）該２次イメージを第２の要素的イメージにラスタライズするステップと、
（ｃ）該第１の要素的イメージおよび該第２の要素的イメージを、所定のエンコードの原理に基づいて、統合された要素的イメージに併合するステップと、
（ｄ）該第１の要素的イメージの中で該第２の要素的イメージを見えなくするために、該統合された要素的イメージの歪みを補償するステップと、
（ｅ）該統合された要素的イメージに基づいて、該１次イメージが肉眼で見える一方で、該２次イメージが肉眼では見えない出力イメージを作るステップと
を包含する方法。
【請求項２】  前記方法が、（ｆ）前記出力イメージ内に隠された前記２次イメージを、デコードデバイスを実行することによって見るステップをさらに包含する、請求項１に記載の方法。
【請求項３】  前記デコードデバイスが、前記所定のエンコードの原理に対応する光学レンズである、請求項２に記載の方法。
【請求項４】  前記２次イメージが、前記出力イメージのコピーには存在しない、請求項１に記載の方法。
【請求項５】  文書における使用のために、偽造防止セキュリティ特性として、目に見える１次イメージに２次情報を組み込むためのエンコードされたスクリーンをデジタル的に生成する、コンピュータシステム上に実現される方法であって、
（ａ）ユーザが選択した基本スクリーンを提供するステップと、
（ｂ）エンコードされたスクリーンを生成するために、ユーザが選択したエンコードの原理に基づいて該２次情報と該ユーザが選択した基本スクリーンとを併合するステップと、
（ｃ）該エンコードされたスクリーンを補償することにより、ｉ）該併合するステップ（ｂ）において生成された該エンコードされたスクリーン中のどの歪をも補償し、かつ、ｉｉ）該２次情報が、補償されたスクリーン内に隠されている、補償されたスクリーンを生成する、ステップと、
（ｄ）該ユーザが選択したエンコードの原理に対応する複製技術に従って、結合出力イメージを生成するために該１次イメージを該補償されたスクリーンでスクリーニングするステップと、
（ｅ）該複製技術を用いて該文書を複製するステップであって、該文書は該結合出力イメージを組み込んでいる、ステップと
を包含する方法。
【請求項６】  前記エンコードされたスクリーンを前記エンコードの原理の特性に基づいて最適にエンコードするステップをさらに包含する、請求項５に記載の方法。
【請求項７】  前記結合出力イメージを複製するために用いられる前記複製技術に従って、前記基本スクリーンを選択するステップをさらに包含する、請求項５に記載の方法。
【請求項８】  前記エンコードされたスクリーンを連続近似を用いてエンコードするステップであって、該連続近似が、汎用コンピュータで実行されるソフトウェアモジュールに組み込まれる、請求項５に記載の方法。
【請求項９】  前記連続近似が、前記結合出力イメージを複製するために用いられる前記複製技術の複数のユーザ定義のパラメータのうちの少なくとも１つに基づく、請求項８に記載の方法。
【請求項１０】  前記２次情報を前記ステップ（ｂ）における前記エンコードの原理に対応するデコードデバイスを介してのみ読み出すステップをさらに包含する、請求項５に記載の方法。
【請求項１１】  前記２次情報が、ピクセルにより構成される、請求項５に記載の方法。
【請求項１２】  前記ピクセルをデジタル情報キャリアとして用るステップをさらに包含する、請求項１１に記載の方法。
【請求項１３】  前記デジタル情報キャリアのパラメータを、
ｉ）前記ピクセルの形状と、
ｉｉ）該ピクセルのサイズと、
ｉｉｉ）該ピクセルの角度と、
ｉｖ）該ピクセルの位置と、
ｖ）該ピクセルの周波数と、
ｖｉ）該ピクセルの密度と
のうちの少なくとも１つに基づいて修正するステップをさらに包含する、請求項１２に記載の方法。
【請求項１４】  前記デジタル情報キャリアの前記修正されたパラメータを前記イメージの単一の色レイヤ内に配置するステップをさらに包含する、請求項１３に記載の方法。
【請求項１５】  前記デジタル情報キャリアの前記修正されたパラメータを前記イメージの複数の色レイヤ内に配置するステップをさらに包含する、請求項１３に記載の方法。
【請求項１６】  前記２次情報が、イメージ、データ、印刷物およびバーコードから成るグループのうちの少なくとも１つである、請求項５に記載の方法。
【請求項１７】  前記ユーザが選択した基本スクリーンが、
ｉ）ラウンドスクリーンと、
ｉｉ）ラインスクリーンと、
ｉｉｉ）エリプティカルスクリーンと、
ｉｖ）ロートグラビアスクリーンと、
ｖ）ストキャスティックスクリーンと、
ｖｉ）幾何学的スクリーンと、
ｖｉｉ）連続階調スクリーンと、
ｖｉｉｉ）プログラムできるスクリーンと
のうちの１つである、請求項５に記載の方法。
【請求項１８】  前記デコードデバイスが、光学デコーダおよびユーザがプログラムできるデジタルデコーダのうちの少なくとも１つである、請求項１０に記載の方法。
【請求項１９】  前記ステップ（ｂ）における前記エンコードの原理がデコードデバイスのソフトウェアインプリメンテーションに基づく、請求項５に記載の方法。
【請求項２０】  複数の幾何学的形状のうちの少なくとも１つを有する光学フィルタを備えた光学デコーダを用いて前記結合出力イメージを光学的にデコードするステップをさらに包含する、請求項５に記載の方法。
【請求項２１】  周期的なフィルタリングパターンとランダムなフィルタリグパターンとのうちの少なくとも１つを備えた光学デコーダを用いて前記結合出力イメージを光学的にデコードするステップをさらに包含する、請求項５に記載の方法。
【請求項２２】  光学コードを読み出すための、異なる光学的特性を有する複雑な光学デコーダを用いて前記結合出力イメージをデコードするステップをさらに包含する、請求項５に記載の方法。
【請求項２３】  前記異なる光学的特性が、
ｉ）拡大と、
ｉｉ）反転と、
ｉｉｉ）プリズムと、
ｉｖ）縮小と
のうちの少なくとも１つである、請求項２２に記載の方法。
【請求項２４】  光学デコーダの少なくとも１つ機能のソフトウェアシミュレーションを用いて光学コードを読み出すための電子デコーダを用いて、前記結合出力イメージを電子的にデコードするステップをさらに包含する、請求項５に記載の方法。
【請求項２５】  光学コードを読み出すための電子的認識を備えた電子デコーダを用いて、前記結合出力イメージを電子的にデコードするステップをさらに包含する、請求項５に記載の方法。
【請求項２６】  前記２次情報がデジタルコードを含み、前記方法が、
プログラムできる電子デコーダを用いて、前記結合出力イメージに埋め込まれた該デジタルコードを直接読み出すステップをさらに包含する、請求項５に記載の方法。
【請求項２７】  銀行券を印刷する装置で用いるために、前記結合出力イメージの様々な色レイヤ間の、高度に正確な位置合わせを計算するステップをさらに包含する、請求項５に記載の方法。
【請求項２８】  前記複製技術を用いて文書を複製するステップであって、該文書は前記結合出力イメージを組み込んでいる、ステップをさらに包含する、請求項５に記載の方法。
【請求項２９】  前記文書が、
ｉ）  小切手
ｉｉ）  通貨
ｉｉｉ）  チケット
ｉｖ）  銀行券
ｖ）  クレジットカード
ｖｉ）  パスポート
ｖｉｉ）  写真入り身分証明書
ｖｉｉｉ）  特別な催しのチケット
ｉｘ）  株券
ｘ）  証券
ｘｉ）  銀行小切手
ｘｉｉ）  トラベラーズチェック
ｘｉｉｉ）  偽造防止ラベル
ｘｉｖ）  納税印紙
ｘｖ）  郵便切手
ｘｖｉ）  出生証明書
ｘｖｉｉ）  車両登録証
ｘｖｉｉｉ）  権利書
ｘｉｘ）  資格証明書
ｘｘ）  ビザ
のうちの少なくとも１つである、請求項５に記載の方法。
【請求項３０】  前記目に見える１次イメージが個人の写真であり、前記２次情報が少なくともその個人の個人データである、請求項２９に記載の方法。
【請求項３１】  前記個人データが、ｉ）身長、ｉｉ）体重、ｉｉｉ）証明書番号、ｉｖ）署名、ｖ）血液型、およびｖｉ）医療情報のうちの少なくとも１つである、請求項３０に記載の方法。
【請求項３２】  前記２次情報が、前記文書のコピーには存在しない、請求項４に記載の方法。